(57)【要約】【課題】作業性が良く、簡単な構成で、ワイヤを痛めることなく、確実に既製杭を吊り上げることができる杭の吊り治具を提供すること。【解決手段】既製杭１を内挿する管を周方向に分割した締付管分割体２と、締付管分割体２の合わせ部付近から外方に突出した耳状の接合片３と、接合片３を回動可能に貫通する軸部４と、軸部４から外方に突出し、吊りワイヤＷを係着する揺動片５とを備え、軸部４の両端部に逆ねじ６を形成するとともに、接合片３に逆ねじ６と螺合する雌ねじ部７を設ける。【選択図】図１
2007146519.tif 000002
【特許請求の範囲】
【請求項１】
既製杭を内挿する管を周方向に分割した締付管分割体と、該締付管分割体の合わせ部付近から外方に突出した耳状の接合片と、該接合片を回動可能に貫通する軸部と、該軸部から外方に突出し、吊りワイヤを係着する揺動片とを備え、軸部の両端部に逆ねじを形成するとともに、前記接合片に逆ねじと螺合する雌ねじ部を設けたことを特徴とする杭の吊り治具。
【請求項２】
締付管分割体の内側に滑り防止部材を配設したことを特徴とする請求項１記載の杭の吊り治具。
【請求項３】
内径が異なる複数種類の滑り防止部材を締付管分割体と別体に設けたことを特徴とする請求項２記載の杭の吊り治具。
【発明の詳細な説明】
【技術分野】
【０００１】
本発明は、杭の吊り治具に関し、特に、作業性が良く、簡単な構成で、ワイヤを痛めることなく、確実に既製杭を吊り上げることができる杭の吊り治具に関するものである。
【背景技術】
【０００２】
従来、既製杭を吊り上げて移動するために汎用されているいわゆる「杭の玉掛け」は、玉掛けワイヤを既製杭に２〜３回胴巻きして吊り上げ、杭の自重でワイヤに緊張力を与え、杭とワイヤとの間に発生する摩擦力で杭の吊り上げを行うものである。
【０００３】
この杭の玉掛けに際して、杭が比較的軽量で、それを吊り上げるワイヤも細径で十分な場合は、人力で玉掛けが可能であるし、ワイヤに捻れなどで部分的にかかる応力が比較的少なく、ワイヤ自体が損傷するなどの問題は比較的少ない。しかしながら、大径で重い杭（大きな支持力を要求される既製杭）を、上記と同様に玉掛けで吊り上げようとすると、ワイヤも太径で丈夫なものが必要となり、人力では取扱いが困難となるばかりか、危険を伴うようになる。また、ワイヤが太径であるが故に、応力が掛かる部位が大きく異なり、キンク、型崩れ、素線切れ等を起こしやすくなり危険性が増す等の問題がある。
【発明の開示】
【発明が解決しようとする課題】
【０００４】
本発明は、上記従来の既製杭を吊り上げて移動するために汎用されている杭の玉掛けが有する問題点に鑑み、作業性が良く、簡単な構成で、ワイヤを痛めることなく、確実に既製杭を吊り上げることができる杭の吊り治具を提供することを目的とする。
【課題を解決するための手段】
【０００５】
上記目的を達成するため、本発明の杭の吊り治具は、既製杭を内挿する管を周方向に分割した締付管分割体と、該締付管分割体の合わせ部付近から外方に突出した耳状の接合片と、該接合片を回動可能に貫通する軸部と、該軸部から外方に突出し、吊りワイヤを係着する揺動片とを備え、軸部の両端部に逆ねじを形成するとともに、前記接合片に逆ねじと螺合する雌ねじ部を設けたことを特徴とする。
【０００６】
この場合において、締付管分割体の内側に滑り防止部材を配設することができる。
【０００７】
また、内径が異なる複数種類の滑り防止部材を締付管分割体と別体に設けることができる。
【発明の効果】
【０００８】
本発明の杭の吊り治具によれば、既製杭を内挿する管を周方向に分割した締付管分割体と、該締付管分割体の合わせ部付近から外方に突出した耳状の接合片と、該接合片を回動可能に貫通する軸部と、該軸部から外方に突出し、吊りワイヤを係着する揺動片とを備え、軸部の両端部に逆ねじを形成するとともに、前記接合片に逆ねじと螺合する雌ねじ部を設けることから、杭を締付管に内挿して揺動片を吊りワイヤで引き上げると、揺動片の揺動により軸部が回転してねじを緊締することができ、これにより、接合片を介して締付管を縮径し、杭を締め付けるように保持することができる。
その結果、大径で重い杭を対象とするためワイヤ径が太径となっても、作業性が良く、簡単な構成で、捻れなどでワイヤに部分的にかかる応力が比較的少ないためワイヤを痛めることなく、確実に既製杭を吊り上げることができる。
【０００９】
この場合、締付管分割体の内側に滑り防止部材を配設することにより、締付管による杭の保持を確実に行うことができる。
【００１０】
また、内径が異なる複数種類の滑り防止部材を、締付管分割体と別体に設けることにより、１つの吊り治具で直径が異なる杭に対応することができる。
【発明を実施するための最良の形態】
【００１１】
以下、本発明の杭の吊り治具の実施の形態を、図面に基づいて説明する。
【実施例１】
【００１２】
図１〜図３に、本発明の杭の吊り治具の一実施例を示す。
この杭の吊り治具は、既製杭１を内挿する管を周方向に分割した締付管分割体２と、該締付管分割体２の合わせ部付近から外方に突出した耳状の接合片３と、該接合片３を回動可能に貫通する軸部４と、該軸部４から外方に突出し、吊りワイヤＷを係着する揺動片５とを備えている。
そして、軸部４の両端部に逆ねじ６を形成するとともに、前記接合片３に逆ねじ６と螺合する雌ねじ部７を設け、揺動片５の揺動によりねじが緊締し接合片３が接近するようにしている。
【００１３】
締付管分割体２は、本実施例では、やや浅めに形成された２つの半裁筒体からなり、分割体２の合わせ部付近から外方に突出した耳状の接合片３を一体に備えている。
接合片３には、軸部４が貫通する貫通孔が形成されており、一方の接合片３の外側には、軸部４が螺合する固定ナット７１が雌ねじ部７として溶接されている。また、もう一方の接合片３の外側には、通常のナット７２が雌ねじ部７として軸部４に螺合している。
この場合、接合片３を所要長く形成することにより、図２に示すように、先端部が二股になったカンザシ状の杭受け台８上にこの接合片３を支持させ、杭１を仮吊りすることができ、これにより、杭１に胴巻きした玉掛けワイヤのシッテを杭受け台８に引っ掛けていた従来の仮吊り工程を省略することができる。
【００１４】
軸部４は、両端部に互いに逆方向となる逆角ねじ６が３ｍｍピッチで形成されるとともに、長手方向中心付近に、プレート状の揺動片５が一体に設けられている。
揺動片５は、軸部４から半径外方向に突出するように形成されており、この突出した位置に吊りワイヤＷが係着される係着孔を備えている。
軸部４は、揺動片５を接合片３の間に挟んだ状態で接合片３を貫通しており、一方の逆ねじ６が固定ナット７１に螺合するとともに、もう一方の逆ねじ６には、通常のナット７２が螺合している。
通常のナット７２は、締付管分割体２を杭１にセットしたときに、パイレンやモンキー、ラチェット等で締め付けるようにする（揺動片５による緊締はこの状態からさらに締め付けるように行われる）。
また、軸部４のナット７２の外側に小孔（図示省略）を開けて、割りピン（図示省略）を差し込むことができ、これにより、ナット７２の逆回転やねじの潰れによる締め付け力の逃げを防止し、不慮の災害に備えることができる。
【００１５】
一方、締付管分割体２の内側には、滑り防止部材９が配設されており、締付管分割体２による杭１の保持を確実に行うようにしている。
この場合、図３に示すように、内径が異なる複数種類の滑り防止部材９を、締付管分割体２と別体に設けることにより、１つの吊り治具で直径が異なる杭に対応することができる。
具体的には、例えば、締付管分割体２は既存最大杭径に合わせて製作し、内側に、杭径φ９００やφ８００に対応する半割り状の滑り防止部材９を組み入れるようにする。
また、滑り防止部材９は、同図に示すように、必要な杭径の半割りプレートの裏側に補強リブ９２を取り付けるとともに、杭締め付け側となる内側に滑り防止材９１を吹き付け、上部外側には締付管分割体２からの抜けを防止するフランジ部９３を突設するような構成とすることができる。
【００１６】
なお、この滑り防止部材９には、特に限定されるものではないが、積層用樹脂、防滑材及び補強材等からなる複合積層樹脂（ＦＲＰ）製のものや硬質のゴム製のものを用いることができ、特に、積層用樹脂としてイソフタル酸系不飽和ポリエステル樹脂、防滑材として粉末シリコン、補強材としてガラス繊維を使用し、ガラス繊維にイソフタル酸系不飽和ポリエステル樹脂を含浸することを複数層に亘って繰り返し、表面のガラス繊維に粉末シリコンを混入したイソフタル酸系不飽和ポリエステル樹脂を塗布した複合積層樹脂（ＦＲＰ）製のものを好適に用いることができる。
【００１７】
次に、この杭の吊り治具の使用方法を説明する。
図１及び図２に示すように、杭１の上部に杭の吊り治具を取り付け、治具の揺動片５を吊りハンガーＷ１と吊りワイヤＷを介してクレーン１０にて吊り上げる。
吊り上げられた揺動片５は上方に揺動することから、軸部４が回転して逆ねじ６を緊締することにより、接合片３が例えば２〜３ｍｍ接近するように締め付け、締付管分割体２を縮小させて杭１に圧力をかけながら吊り上げる。
【００１８】
そして、図２に示すように、所定の杭ジョイント位置に運び、下杭と吊り込まれた杭１とを溶接工法や無溶接工法により接合する。
なお、このとき、二股の杭受け台８を杭１を挟むように差し込み、締付管分割体２の接合片３を支持することにより杭１の落下を防止する。
杭１の接合後、杭受け台８を取り除き、下杭と中杭（上杭）を削孔内に挿入する。
杭の挿入後、杭受け台８を再度差し込んで杭１を一時的に受け、揺動片５を緩めて、杭吊り冶具を杭１から取り外す。
【００１９】
かくして、この杭の吊り治具は、既製杭１を内挿する管を周方向に分割した締付管分割体２と、該締付管分割体２の合わせ部付近から外方に突出した耳状の接合片３と、該接合片３を回動可能に貫通する軸部４と、該軸部４から外方に突出し、吊りワイヤＷを係着する揺動片５とを備え、軸部４の両端部に逆ねじ６を形成するとともに、前記接合片３に逆ねじ６と螺合する雌ねじ部７を設けることから、杭１を締付管に内挿して揺動片５を吊りワイヤＷで引き上げると、揺動片５の揺動により軸部４が回転してねじを緊締することができ、これにより、接合片３を介して締付管を縮径し、杭１を締め付けるように保持することができる。
その結果、大径で重い杭を対象とするためワイヤ径が太径となっても、作業性が良く、簡単な構成で、捻れなどでワイヤＷに部分的にかかる応力が比較的少ないためワイヤＷを痛めることなく、確実に杭１を吊り上げることができる。
【００２０】
この場合、締付管分割体２の内側に滑り防止部材９を配設することにより、締付管による杭１の保持を確実に行うことができ、また、内径が異なる複数種類の滑り防止部材９を、締付管分割体２と別体に設けることにより、１つの吊り治具で直径が異なる杭に対応することができる。
【００２１】
以上、本発明の杭の吊り治具について、その実施例に基づいて説明したが、本発明は上記実施例に記載した構成に限定されるものではなく、その趣旨を逸脱しない範囲において適宜その構成を変更することができる。
【産業上の利用可能性】
【００２２】
本発明の杭の吊り治具は、作業性が良く、簡単な構成で、ワイヤを痛めることなく、確実に既製杭を吊り上げることができることから、例えば、大径で重い杭を対象とする場合に好適に用いることができる。
【図面の簡単な説明】
【００２３】
【図１】本発明の杭の吊り治具の一実施例を示し、（ａ）は吊り治具を杭に装着し吊り上げる状態を示す正面図、（ｂ）は（ａ）の水平断面図、（ｃ）は軸部と揺動片の拡大断面図である。
【図２】同杭の吊り治具を示し、（ａ）は吊り治具を介して杭をクレーンで吊り上げた状態を示す正面図、（ｂ）は杭受け台による杭の支持状態を示す拡大断面図である。
【図３】同杭の吊り治具の滑り防止部材を示し、（ａ）は吊り治具に配設した状態を示す平面図、（ｂ）は滑り防止部材の詳細を示す平面図、（ｃ）は吊り治具への固定状態を示す部分断面図である。
【符号の説明】
【００２４】
１    杭
２    締付管分割体
３    接合片
４    軸部
５    揺動片
６    逆ねじ
７    雌ねじ部
７１  固定ナット
７２  ナット
８    杭受け台
９    滑り防止部材
９１  滑り防止材
１０  クレーン
【図１】
2007146519.tif 000003
【図２】
2007146519.tif 000004
【図３】
2007146519.tif 000005